(57)【要約】      （修正有）【課題】幼児が滑り板を持ち上げようとしても、滑り板の上端部と踊り場との間に隙間が現出せず、この隙間に指を挟むおそれがない滑り台付ジャングルジムを提供する。【解決手段】踊り場１５より上方へ突出した垂直角棒１２Ａの上端部と、各手摺板１６の上端部とをねじにより螺合し、踊り場１５の一端部と滑り板１７の上端部とをほぞ継ぎにしたため、仮に各ねじが緩んだ状態で幼児が滑り板１７を持ち上げたとしても、滑り板１７の上端部と踊り場１５との間に隙間は生じない。その結果、誤って幼児がこの隙間に指を挟んで怪我をするおそれはない。【選択図】図１
0003218186.tif 000002
【実用新案登録請求の範囲】
【請求項１】
複数本の水平棒材と複数本の垂直棒材とを立方格子状に組み立てた立方体枠を、３次元的に複数組み合わせたジャングルジムに、滑り台が取り付けられた滑り台付ジャングルジムにおいて、
前記滑り台は、所定の前記立方体枠の上面に設けた板材からなる踊り場と、該踊り場の一端面に上端面が突き合わされ、かつ両側に左右一対の手摺板が固定された滑り板とを有し、
前記踊り場のうち、前記滑り板が突き合わされる側に配された２本の前記垂直棒材の各上端部は、前記踊り場よりそれぞれ上方へ突出し、
前記各手摺板の上端部は、前記踊り場より上方へ突出した対応する垂直棒材の上端部にそれぞれねじにより連結され、
前記踊り場の一端部と前記滑り板の上端部とが、ほぞ継ぎされていることを特徴とする滑り台付ジャングルジム。
【請求項２】
前記２本の垂直棒材の各上端部と前記各手摺板の上端部との前記各ねじによる連結方向と、前記踊り場の一端部と前記滑り板の上端部とのほぞ継ぎによる連結方向とが、平面視して直交していることを特徴とする請求項１に記載の滑り台付ジャングルジム。
【請求項３】
前記滑り板の下端面は、水平カットされていることを特徴とする請求項１または請求項２に記載の滑り台付ジャングルジム。
【考案の詳細な説明】
【技術分野】
【０００１】
この考案は、幼児が屋内で遊べる滑り台付ジャングルジムに関する。
【背景技術】
【０００２】
従前より、幼児が屋内で遊べるジャングルジムが知られている。この屋内用ジャングルジムは、複数本の水平丸パイプ（水平棒材）と垂直丸パイプ（水平棒材）とを立方格子状に組み立てた立方体枠を、３次元的に複数組み合わせたプラスチック製のものである。
近年、例えば、特許文献１に開示されているように、ジャングルジムに滑り台を取り付けて、遊戯の形態を多様化させ、幼児の知育および体育の向上を図った滑り台付ジャングルジムが開発されている。
【０００３】
この滑り台は、所定の立方体枠の上面に設けた正方形の平板からなる踊り場と、踊り場の一端面に上端面が突き合わされて、両側に手摺板が固定された滑り板とを有している。
このジャングルジムへの滑り台の取り付けは、滑り板の上端に一体形成された円弧状に屈曲する掛止フックを、ジャングルジムの踊り場が載置される立方体枠の上面の一部を形成する１本の水平丸パイプに、上方より被せるように掛止するものであった。
【先行技術文献】
【特許文献】
【０００４】
【特許文献１】実用新案登録第３０３１６８２号公報
【考案の開示】
【考案が解決しようとする課題】
【０００５】
特許文献１の滑り台付ジャングルジムにあっては、幼児が滑り台を滑って遊ぶ際に、遊びの一環として各手摺板を握って滑り板の上端部を持ち上げることがある。その際、滑り板の上端に一体形成された円弧状の掛止フックの一部が、対応する水平丸パイプから外れて隙間が現出し、この隙間に幼児が誤って指をはさむおそれがあった。
また、従来、ジャングルジムに滑り台をボルト連結した木製のジャングルジムも市販されているが、この場合でも、幼児が滑り板の下端部を持ち上げたとき、滑り板と踊り場との突き合わせ面に隙間が発生し、これに幼児が指を挟むおそれがあった。
【０００６】
そこで、考案者は鋭意研究の結果、踊り場が配された立方体枠の垂直棒材のうち、滑り板との突き合わせ側に配された２本の上端部を、この踊り場の上面より上方へ突出させ、これらの突出部分に、対応する手摺板の上端部をそれぞれねじによって連結するとともに、踊り場の一端部と滑り板の上端部とをほぞ継ぎすれば、上述した課題はすべて解消されることを知見した。
【０００７】
本考案は、このような問題点に鑑みてなされたもので、幼児が滑り板を持ち上げようとしても、滑り板と踊り場（ジャングルジム側）との突き合わせ面に隙間が現出せず、よって幼児がこの隙間に指を挟んでしまうおそれがない滑り台付ジャングルジムを提供することを目的としている。
【課題を解決するための手段】
【０００８】
請求項１に記載の考案は、複数本の水平棒材と複数本の垂直棒材とを立方格子状に組み立てた立方体枠を、３次元的に複数組み合わせたジャングルジムに、滑り台が取り付けられた滑り台付ジャングルジムにおいて、前記滑り台は、所定の前記立方体枠の上面に設けた板材からなる踊り場と、該踊り場の一端面に上端面が突き合わされ、かつ両側に左右一対の手摺板が固定された滑り板とを有し、前記踊り場のうち、前記滑り板が突き合わされる側に配された２本の前記垂直棒材の各上端部は、前記踊り場よりそれぞれ上方へ突出し、前記各手摺板の上端部は、前記踊り場より上方へ突出した対応する垂直棒材の上端部にそれぞれねじにより連結され、前記踊り場の一端部と前記滑り板の上端部とが、ほぞ継ぎされていることを特徴とする滑り台付ジャングルジムである。
【０００９】
ジャングルジム（水平棒材、垂直棒材を含む）および滑り台の素材は任意である。例えば、各種の木（パイン、ブナ、カエデ、カバなど）、各種のプラスチック（ＡＢＳ樹脂、ポリ塩化ビニル樹脂、ポリスチレン樹脂など）といったものを採用することができる。
ただし、これらの素材は木が好ましい。このようにジャングルジムおよび滑り台を木製とすれば、従来のプラスチック製のものに比べて使用時の安定性も高く、自然素材である木の温もりや手触り感によって、幼児の感性をより豊かにすることができる。さらに、木製であれば、踊り場と滑り板との各突合せ側の端部に対するほぞ加工や、ほそ穴加工が容易となる。
【００１０】
水平棒材および垂直棒材は、中実体、中空体（パイプ）の何れでもよい。水平棒材および垂直棒材の断面形状は任意である。例えば、円形、楕円形、四角形以上などでもよい。これらの棒材は、立方体枠１つ分の長さ、または、複数分の長さを有するものでもよい。
水平棒材と垂直棒材との連結構造は任意である。例えば、各種の組み手（ほぞ組み、合い継ぎ組み手など）、各種のジョイント（Ｔ字金具、Ｉ字金具、Ｌ字金具、そのほか任意形状のもの）、釘止め、ビス止めなどを採用することができる。
【００１１】
立方格子は、上下一対の水平格子と、前後左右の４つの水平格子とからなる。
また、立方体枠は、上下一対の水平格子枠と、前後左右の４つの水平格子枠とからなる。このうち、各水平格子枠は、それぞれ４本の水平棒材から形成されている。また、各垂直格子枠は、上下一対の水平棒材と左右一対の垂直棒材とからそれぞれ形成されている。
【００１２】
立方体枠のサイズは任意である。また、直方体枠でもよい。
立方体枠の使用数は任意である。例えば、２つまたは３つ以上でもよい。複数の立方体枠を３次元的に組み合わせる組み合わせ方も任意である。例えば、立方体枠を横方向に３つ、縦方向に２つ、高さ方向に２つ（２段式の場合）でもよい。
滑り台が取り付けられる立方体枠は任意である。例えば、１段目の立方体枠でも、２段目以上の立方体枠でもよい。
【００１３】
滑り台の構成は、踊り場と、両側に左右一対の手摺板が固定された滑り板とを有していれば任意である。
ジャングルジムへの滑り台の取り付け台数は任意である。１台でも複数台でもよい。ジャングルジムには、この滑り台とは異なる遊具、例えば、ブランコやトランポリンなどを取り付けてもよい。
踊り場の形状は、一般的に、立方体枠の上面（上側の水平格子）の形状に合わせた正方形であるものの、これには限定されない。
踊り場の板厚は、ほぞ継ぎを設けることができれば任意である。例えば、１ｃｍ〜５ｃｍ、好ましくは２ｃｍ〜３ｃｍである。
【００１４】
滑り板のサイズ（傾斜角度を含む）は任意である。
また、滑り板は、直線状のものでも、円弧状やらせん状のものでもよい。
さらに、この滑り板の裏面には、所定枚数の補強部材を取り付けてもよい。
手摺板の高さは任意である。例えば、２ｃｍ〜２０ｃｍ、好ましくは３ｃｍ〜１０ｃｍである。
手摺板の厚さは任意である。例えば、１ｃｍ〜５ｃｍ、好ましくは２ｃｍ〜３ｃｍである。
【００１５】
ここでいう「踊り場の一端面に滑り板の上端面が突き合わされる」とは、踊り場の例えば垂直にカットされた４つの端面（垂直面）のうちの１つと、滑り板の例えば垂直にカットされた上端部の上端面（垂直面）とが面接触している状態をいう。これらの突き合わせ面は傾斜面もよい。
ここでいう「踊り場より上端部が上方へ突出する垂直棒材」とは、踊り場が載置された立方体枠を構成する４本の垂直棒材のうち、滑り板との突き合わせ側に配された２本である。
各手摺板の上端部と、踊り場より上方へ突出した対応する垂直棒材の上端部とを連結するねじの種類は限定されない。例えば、各種のボルト（ボルトナット構造体を含む）でも、各種のビスでもよい。
【００１６】
ここでいう“ほぞ継ぎ”とは、踊り場の一端部と滑り板の上端部とを接合する継手の一種で、ほぞ穴と、これに嵌入される突起状のほぞとにより構成される。
対配置されるほぞとほぞ穴とは、何れを踊り場または滑り板に設けてもよい。また、突き合わされる踊り場の一端部と滑り板の上端部には、ほぞ継ぎを一組のみ設けても、複数組設けてもよい。
ほぞ継ぎは、例えば、ほぞを完全にほぞ穴に差し込んだときに安定させる肩を設けてもよい。また、この継手を留め具、くさびなどで固定してもよい。
【００１７】
ほぞの種類は任意である。例えば、止めほぞ（短尺なほぞ）、通しほぞ（長尺なほぞ）、雇いほぞ（別部品のほぞ）、ビスケットダボ（薄い楕円形の木片などで、ビスケットのような形状）、栓打ちほぞ（ほぞ穴の側面とほぞに1つ以上の穴をあけて、栓またはダボを挿して固定する継ぎ手）、くさび止めほぞなどを採用することができる。
ほぞ穴の種類は任意である。例えば、止めほぞ継ぎ（浅いほぞ穴）、三枚組継ぎ（一辺が空いた三辺のみのほぞ穴）、通しほぞ継ぎ（木材などを貫通するほぞ穴）、くさびハーフドーヴテイル（奥が入口よりも幅または高さがあるほぞ穴）、通しくさびハーフドーヴテイル（木材などを貫通するくさびハーフドーブテイル）などを採用することができる。
平面視して、踊り場の一端部と滑り板の上端部とのねじによる連結方向と、踊り場の一端部と滑り板の上端部とのほぞ継ぎによる連結方向とは任意である。ただし、これらの方向は、平面視して直交している方が、ほぞ継ぎによるクサビ効果は高い。
【００１８】
請求項２に記載の考案は、前記２本の垂直棒材の各上端部と前記各手摺板の上端部との前記ねじによる連結方向と、これらの前記ほぞ継ぎによる連結方向とが、平面視して直交していることを特徴とする請求項１に記載の滑り台付ジャングルジムである。
【００１９】
請求項３に記載の考案は、前記滑り板の下端面は、水平カットされていることを特徴とする請求項２に記載の滑り台付ジャングルジムである。
水平カットは、各手摺板の下端部を含めた方が好ましい。
【考案の効果】
【００２０】
本考案の滑り台付ジャングルジムによれば、踊り場が設けられた立方体枠の垂直棒材のうち、滑り板との突き合わせ側に配された２本の上端部を、この踊り場の上面より上方へ突出させ、各突出部分に、対応する手摺板の上端部をそれぞれねじにより連結する。一方、踊り場の一端部と滑り板の上端部とをほぞ継ぎする。
このように、ジャングルジムと滑り台との連結に２重連結構造を採用したため、仮に、ねじが緩んで垂直棒材の上端部と手摺板の上端部との連結部分がガタついても、踊り場の一端部と滑り板の上端部とをほぞ継ぎしていることから、幼児がこの滑り板の下端部等を持ち上げたとしても、滑り板の上端部と踊り場（ジャングルジム側）とのあいだに、隙間は現出しない。その結果、幼児がこの隙間に誤って指を挟み、怪我をするおそれはない。
【００２１】
特に、請求項２に記載の考案によれば、２本の垂直棒材の各上端部と各手摺板の上端部との各ねじによる連結方向と、踊り場の一端部と滑り板の上端部とのほぞ継ぎによる連結方向とが、平面視して直交しているため、ほぞ継ぎによる滑り板のクサビ効果が高い。これにより、仮にねじが緩んだ状態で幼児が滑り板を持ち上げようとしても、滑り板の上端部と踊り場との間には、平面視した他の角度（９０°を除く）の場合に比べて隙間が現出しにくい。
【００２２】
また、請求項３に記載の考案によれば、滑り板の下端面を水平カットしたため、床面と滑り板の下端との間にほとんど段差が生じない。そのため、この段差部分に幼児が躓いて、怪我をするおそれは略解消される。
【図面の簡単な説明】
【００２３】
【図１】この考案の実施例１に係る滑り台付ジャングルジムの一部部分拡大図を含む全体斜視図である。
【図２】この考案の実施例１に係る滑り台付ジャングルジムの踊り場と滑り板との連結作業状態を示す要部拡大斜視図である。
【図３】この考案の実施例１に係る滑り台付ジャングルジムの踊り場と滑り板との連結状態を示す要部拡大断面図である。
【考案を実施するための形態】
【００２４】
以下、この考案の実施例を具体的に説明する。ここでは、木製の滑り台付ジャングルジムを例とする。
【実施例】
【００２５】
図１において、１０は本考案の実施例１に係る滑り台付ジャングルジムで、この滑り台付ジャングルジム１０は、それぞれパイン材製の複数本の水平丸棒（水平棒材）１１と垂直角棒（垂直棒材）１２とを立方格子状に組み立てた５つの立方体枠１３を、正面視してＴ字状および平面視して逆Ｔ字状となるように、それぞれ組み合わせたジャングルジムＡを本体とする。各垂直角棒１２の上端部は、それぞれ水平丸棒１１より上方へ突出している。
【００２６】
１段目の左側の立方体枠１３の上端部には、前方へ向かって下方傾斜した滑り台１４が取り付けられている。具体的には、この滑り台１４は、立方体枠１３の上面に固定した正方形の平板からなる踊り場１５と、踊り場１５の前端面（一端面）に上端面が突き合わされ、かつ両側に左右一対の手摺板１６が固定された滑り板１７とを有している。
なお、踊り場１５が載置される前後一対の水平棒材だけは、踊り場１５の安定性を高めるために、それぞれ水平角棒（水平棒材）１１Ａが採用されている。踊り場１５は、左右４箇所が対峙する垂直角棒１２，１２Ａの上端部にそれぞれねじ止めされている（図示せず）。また、この滑り板１７は、長さ方向に所定ピッチで配された３枚の補強板１８により補強されている。
【００２７】
また、踊り場１５の前側（滑り板１７が突き合わされる一端側）に配された２本の垂直角棒１２Ａの各上端部は、踊り場１５よりそれぞれ上方へ突出している。これらの上端部には、各左右面を貫通して一対のねじ孔１２ａが形成されている。
一方、手摺板１６の上端部には、対応するねじ孔１２ａと連通可能な左右一対の別のねじ孔１６ａが、それぞれ表裏面を貫通して形成されている。
また、踊り場１５の垂直な前端面のうち、左右方向の両端部には、正面視して矩形状のほぞ穴１５ａがそれぞれ切欠されている。これらに対応する（嵌合する）左右一対の立方形状のほぞ１７ａが、滑り板１７の垂直な上端面のうち、左右方向の両端部に突設されている。これらのほぞ穴１５ａとほぞ１７ａとによって、ほぞ継ぎ（止めほぞ継ぎ構造）Ｂが構成される。
【００２８】
図１〜図３に示すように、実施例１に係る滑り台付ジャングルジム１０は、このように構成されているため、ジャングルジムＡへの滑り台１４の取り付けに際して、まず滑り板１７の上端部の各ほぞ１７ａと、対応するほぞ穴１５ａとを嵌合する（図２、図３を参照）。その後、この嵌合状態を維持して、２本の垂直角棒１２Ａの上端部の各ねじ孔１２ａと、対応する左右一対の手摺板１６の別のねじ孔１６ａとに、それぞれねじ１９をねじ込む。
このように、ジャングルジムＡと滑り台１４との連結に２重連結構造を採用したため、仮に、これらの垂直角棒１２Ａの上端部と各手摺板１６の上端部とを連結するねじ１９が緩んでガタついたとしても、踊り場１５の一端部と滑り板１７の上端部とが、ほぞ継ぎＢにより連結されているため、幼児が滑り台１４で遊ぶ際に、各手摺板１６を握って滑り板１７の上端部を強く持ち上げたり、滑り板１７の下端部を持ち上げたとしても、滑り板１７の上端部と踊り場（ジャングルジムＡ側、各手摺板１６の上端部と踊り場１５とのあいだを含む）１５とのあいだに隙間は生じない。その結果、誤って幼児がこの隙間に指を挟んで怪我をすることがなくなる。
【００２９】
また、ここでは２本の垂直角棒１２Ａの各上端部と、各手摺板１６の上端部との各ねじ１９による連結方向と、踊り場１５の一端部と滑り板１６の上端部とのほぞ継ぎＢによる連結方向とが、平面視して直交するように配している。これにより、ほぞ継ぎＢによる滑り板１６のクサビ効果が高まり、仮にねじ１９が緩んだ状態で幼児が滑り板１７を持ち上げても、滑り板１７の上端部と踊り場１５とのあいだには、平面視した他の角度の場合に比べて、その隙間はさらに現出しにくくなる。
さらにまた、滑り板１７の下端面１７ｂを水平カットしたため、室内の床面と滑り板１７の下端面１７ｂとが面接触し、これらのあいだに段差が生じない。その結果、この段差部分に幼児が躓いて怪我をするおそれはほとんどない。
【産業上の利用可能性】
【００３０】
この考案は、家庭用の滑り台付ジャングルジムの技術として有用である。
【符号の説明】
【００３１】
１０  滑り台付ジャングルジム
１１  水平丸棒（水平棒材）
１１Ａ  水平角棒（水平棒材）
１２，１２Ａ  垂直角棒（垂直棒材）
１３  立方体枠
１４  滑り台
１５  踊り場
１５ａ  ほぞ穴（ほぞ継ぎ）
１６  手摺板
１７  滑り板
１７ａ  ほぞ（ほぞ継ぎ）
１９  ねじ
Ａ  ジャングルジム
Ｂ  ほぞ継ぎ
【図１】
0003218186.tif 000003
【図２】
0003218186.tif 000004
【図３】
0003218186.tif 000005
【手続補正書】
【提出日】平成30年7月17日(2018.7.17)
【手続補正２】
【補正対象書類名】図面
【補正対象項目名】図２
【補正方法】変更
【補正の内容】
【図２】
0003218186.tif 000006